(57)【要約】【課題】小額商品などを、如何にコストを掛けず確実に贈れるか、携帯型情報端末に不慣れな顧客でも簡単に贈れるか、また、受取る側も携帯型情報端末の面倒な操作なしに如何に簡単に受取れるかなどの課題がある。【解決手段】審査手段が携帯型情報端末の識別情報を基にする手段と、商品受取番号を基にする手段を用いることにより、贈り主は受取人の携帯型情報端末の機能を限定することなく確実に贈れるＰＯＳ端末を提供することで解決する。【選択図】図−３
2010262611.tif 000002
【特許請求の範囲】
【請求項１】
ＰＯＳ端末接続デバイスと、携帯型情報端末から携帯型情報端末へ贈り物をするＰＯＳ端末にあって、
ＲＦＩＤリーダライタは受信ＵＲＬを記憶する記憶手段と、
ＲＦＩＤタグ内蔵携帯型情報端末との通信手段を通じて、ＲＦＩＤタグ内蔵携帯型情報端末の識別情報（ＩＤｍや端末固有番号等）を取得する取得手段と、
前記ＲＦＩＤリーダライタと、ＲＦＩＤタグ内蔵携帯型情報端末との通信回数を記憶する記憶手段と、
ＲＦＩＤリーダライタの識別情報（ＵＩＤ）と、携帯型情報端末の識別情報（ＩＤｍや端末固有番号等）と、通信回数と、受信ＵＲＬに基づく商品受取番号を生成する生成手段と、
ＲＦＩＤリーダライタの識別情報（ＵＩＤ）と、携帯型情報端末の識別情報（ＩＤｍや端末固有番号等）と、通信回数と、受信ＵＲＬに基づくワンタイムＵＲＬを生成する生成手段と、
前記ワンタイムＵＲＬを暗号化する暗号化手段と、
暗号化ワンタイムＵＲＬを管理サーバへの送信手段と記憶する記憶手段と、
暗号化ワンタイムＵＲＬに該当するモバイルサイトを生成する生成手段と、
携帯サイト内に商品受取り番号が挿入される挿入手段と、
暗号化ワンタイムＵＲＬをＲＦＩＤタグ内蔵携帯型情報端末が受信できる受信手段を備えたＰＯＳ端末。
【請求項２】
商品の受取審査は、店内備え付けのＰＯＳ端末接続デバイスと携帯型情報端末により、
管理サーバ記憶装置に記憶されている暗号化ワンタイムＵＲＬを復号する復号手段と、
前記復号で検出された携帯型情報端末の識別情報（ＩＤｍや端末固有番号等）および商品受取番号のいずれかを用いて審査される審査手段と、
前記暗号化ワンタイムＵＲＬを受取人へ転送し、該受取人が商品の受取り審査を受ける場合、携帯型情報端末の識別情報（ＩＤｍや端末固有番号等）の事前登録および審査済みか否かのいずれかが審査される審査手段と、
商品受渡し完了通知がＰＯＳ端末から管理サーバに送信される送信手段と、
前記送信と同時に、該当モバイルサイトへ受取完了の文字が自動挿入され受取りの完了表示およびモバイルサイト非表示手段を備えた請求の範囲１に記載のＰＯＳ端末。
【請求項３】
店内での現物商品と同商品情報を、ＰＯＳ端末で管理サーバ記憶装置から検索する検索手段と、
前記検索結果を前記デバイスへ商品画像表示する表示手段と、
商品画像表示を基に店内にてＰＯＳ端末経由で決済ができる決済手段と、
前記検索結果を基にしたＵＲＬをＲＦＩＤリーダライタへの送信する送信手段を備えた請求の範囲１および２に記載のＰＯＳ端末。
【発明の詳細な説明】
【技術分野】
【０００１】本発明は、ＰＯＳ端末、携帯型情報端末対応デバイス、ＵＲＬ、ＩＤｍ、管理方法、管理プログラムに関する。
【背景技術】
【０００２】Ｗｅｂブラウザを利用したＰＯＳ端末装置を実現するための技術に関して特許文献１に記載されている。【０００３】また、ＰＯＳ端末装置として、専用に開発された端末装置が用いられていた。これに対して、汎用のＰＣ等で、標準のＷｅｂブラウザを用いてＰＯＳ端末装置を構成したＰＯＳシステムが特許文献２に記載されている。【０００４】また、通信ネットワークを用いたギフト商品の販売方法に関し、ギフト商品を贈る贈答者とギフト商品を贈られる受取人の双方の気持ちが互いに伝わる通信ネットワークを用いたギフト商品の販売方法が特許文献３に記載されている。【０００５】さらに、近年、ＲＦＩＤ（Ｒａｄｉｏ  Ｆｒｅｑｕｅｎｃｙ  Ｉｄｅｎｔｉｆｉｃａｔｉｏｎ）デバイス利用の、ＲＦＩＤの持つユニークＩＤ（Ｉｄｅｎｔｉｆｉｃａｔｉｏｎ）や非接触通信の利便性を生かした商品情報の提供や、ポイント、くじ引きなどのキャンペーンサービスの提供を目的とした消費者向けのサービス提案が特許文献４に記載されている。【０００６】さらにまた、ＰＯＳレジを通じて、携帯電話機毎のＵＩＤ（Ｕｓｅｒ  Ｉｄｅｎｔｉｆｉｅｒ）を記憶する手段と、携帯電話機からＩＤｍを取得する手段を用いて、ユーザがＰＯＳレジに携帯電話機をかざすことにより認証に関することが特許文献５に記載されている。
【特許文献１】特開２００７−６５８１９号公報
【特許文献２】特開２００５−２５７３８号公報
【特許文献３】特開２００１−２９０９６１号公報
【特許文献４】特開２００８−２９９７９４号公報
【特許文献５】特開２００８−２３４３９３号公報
【０００７】それからまた、ｈｔｔｐ：／／ｗｗｗ．ｓｈｉｒａｋａｔａｙａ．ｃｏｍ／で運営されている電子メールとギフトを組み合わせたネット通販サイトがある。ホームページ上で商品を選択、決済方法を指定して、注文主の携帯型情報端末およびＰＣ（Ｐｅｒｓｏｎａｌ  Ｃｏｍｐｕｔｅｒ）に保存されている電子メールアドレス帳から任意のアドレス入力、メッセージと商品運送指定と日時指定をおこない贈るネット通販の方法が紹介されている。
【発明の開示】
【発明が解決しようとする課題】
【０００８】しかしながら、上述した関連技術の現状では、所持携帯型情報端末を使用して店内購入の商品をその場で簡単に確実に相手に贈れるＰＯＳ端末はない。
そこで、本発明の課題は、不正行為の防止と、小額商品などを如何にコストを掛けずに確実に贈れるか、携帯型情報端末に不慣れな顧客でも簡単に贈れるか、また、受け取る側も、面倒な携帯型情報端末の操作なしに如何に簡単に受け取れるかなどの課題を解決できるプログラムと、ＰＯＳ端末を提供することにある。
【課題を解決するための手段】
【０００９】本発明は、以下のような解決手段により、前記課題を解決する。なお、判りやすくするために、本発明の実施例に対応する符号を付して説明するが、しかしこれに限定されない。
上記課題を解決するため、請求項１記載の発明において、
ＲＦＩＤリーダライタ（１０２−１）は、商品情報検索結果に基づく商品情報ＵＲＬを受信し一時記憶する、【００１０】ＲＦＩＤタグ内蔵携帯端末（１０９）と無線通信を通じて携帯端末の識別情報（１１０）を取得する、さらに、前記ＲＦＩＤリーダライタ（１０２−１）とＲＦＩＤタグ内蔵携帯端末（１０９）との通信回数を取得する。【００１１】ＲＦＩＤリーダライタ（１０２−１）の識別ＵＩＤと、携帯端末の識別情報（１１０）と、通信回数と、受信ＵＲＬに基づく商品の不正受取防止を踏まえた商品受取番号生成と同時にワンタイムＵＲＬも生成する、前記ワンタイムＵＲＬを暗号化（ＤＥＳ等の方法により）する。
不正行為の防止する暗号化されたワンタイムＵＲＬを管理サーバ（１０６）へ送信、モバイルサイト内に受取番号が挿入されたモバイルサイトを生成される。【００１２】ＲＦＩＤタグ内蔵携帯端末（１０９）が受信した前記暗号化されたワンタイムＵＲＬを開くと受取り番号が挿入されたモバイルサイトが表示される。
前記受信ＵＲＬを任意の受取人の携帯端末へ転送することで課題を解決する。【００１３】請求項２記載の発明は、請求項１記載の発明において、
商品の受取審査は、店内備え付けのＰＯＳ端末接続デバイスと受取人の携帯端末との通信で取得できる識別情報（１１３）が、受信したメール添付の暗号化ワンタイムＵＲＬを基に所定の受取アプリを起動して事前に送られた携帯端末の識別情報（１１３）を基に審査する。【００１４】また、受信したメール添付の暗号化ワンタイムＵＲＬを基にモバイルサイトを開いて商品受取番号をＰＯＳ端末管理者へ伝え、ＰＯＳ端末に番号入力で管理者サーバ（１０６）の記憶装置（１０７）のデータベースで検索をおこなう審査手段も行える。
審査手段が携帯端末の識別情報を基にする手段と、商品受取番号を基にする手段を用いることにより贈り主は受取人の携帯端末の機能を限定することなく、確実に贈れる。【００１５】前記ＰＯＳ端末接続デバイスの通信手段として、デバイス（１０２）と受取人の携帯端末が暗号化ワンタイムＵＲＬ通信手段として、赤外線、可視光通信（パルス通信）、画像化情報（２次元コードを含む画像認識用画像）、Ｂｌｕｅｔｏｏｔｈ等の近距離非接触通信のいずれかを利用する通信等であっても良い。【００１６】各々の審査手段により、管理者から商品受取が完了すると商品受渡完了通知がＰＯＳ端末から管理サーバ（１０６）に送信される、該当モバイルサイトが更新され受取完了の文字が自動挿入され受取りの完了を知らせるか、暗号化ワンタイムＵＲＬを携帯端末にブックマークした後、再受取りなどの不正行為をワンタイムＵＲＬに埋め込まれた通信回数により特定し防止する手段でモバイルサイトを非表示とすることで課題を解決する。【００１７】請求項３記載の発明は、請求項１、２記載の発明において、
ＰＯＳ端末（１０１）との接続デバイス（１０２）と通信しての商品情報ＵＲＬを携帯端末（１０９）から携帯端末（１１３）へ電子メールに添付して送信しての贈り物をする方法であって、【００１８】店内での現物商品と同商品情報を、ＰＯＳ端末（１０１）操作で管理サーバ（１０６）の記憶装置（１０７）のデータベースから検索する。
前記検索結果をデバイス（１０２）がネットワーク経由で受信をして、該当商品を表示（１０３）して贈り主に示し、商品を確認後、贈り主が、店内にてＰＯＳ端末（１０１）経由で決済を行い購入する。この場合の表示部（１０３）として、液晶モニタ、ＥＬモニタ、電子ペーパー等を利用して商品情報の表示ができればよい。【００１９】商品代金決済後、ＰＯＳ端末は領収書を印字すると同時に、前記検索結果ＵＲＬをＲＦＩＤリーダライタ（１０２−１）へ送信し、贈り主の携帯端末がデバイス（１０２）と通信で受取ることを備えるＰＯＳ端末（１０１）である。
【発明の効果】
【００２０】本発明によれば、
贈り主の携帯端末（１０９）はＲＦＩＤタグ内臓機能が付きであれば、ＰＯＳ端末（１０１）の接続デバイス（１０２）にタッチさせて商品情報のＵＲＬを電子メールに添付してコストを掛けずに贈ることができる。
また、受取人は受信した商品情報のＵＲＬを基にモバイルサイトを閲覧し、受取方法を、１）ＲＦＩＤリーダライタとタグ間通信か  ２）受取り番号を使用するかを選択ができる。
１）  事前に携帯端末に内蔵されたＲＦＩＤタグのＩＤｍを任意の方法で管理サーバ（１０６）の記憶装置（１０７）へ送信しておくことにより受取れる。
２）  モバイルサイト内の受取番号を管理者に伝えての商品受取が可能となる。【００２１】いずれの方法でも、ＵＲＬを基に電子メール送信、ＵＲＬを利用してモバイルサイト内の受取番号を利用した商品受取方法など、ＵＲＬが随所で使用される。ＵＲＬを暗号化されたワンタイムＵＲＬにすることで書き換えによる不正行為を防止できる。【００２２】また、商品受取りが、ＲＦＩＤタグ通信、および、受取番号利用、いずれでもＰＯＳ端末（１０１）で受取処理をおこなうと、処理情報が管理サーバ（１０６）へ送信され該当モバイルサイトへ受取完了の文字が自動挿入され不正行為を防止できる。
【発明を実施するための最良の形態】
【００２３】以下、図面等を参照して、本発明の実施例について、さらに詳しく説明する。
【実施例１】
【００２４】本発明は、図−１から図−３において、商品受取りに関して、贈り主携帯端末と、デバイスに内蔵されたＲＦＩＤリーダライタとの通信（タッチ）によってＵＲＬの不正使用防止としての暗号化されたワンタイムＵＲＬ（３００）と、不正な受取りの防止がおこなえる商品受取番号（３０３）がデバイス内で生成される。【００２５】該暗号化されたワンタイムＵＲＬ（３００）生成要素は、商品情報、デバイスに内蔵されたＲＦＩＤリーダライタのＲＦＩＤチップと贈り主の携帯端末との通信回数（タッチ回数）と、贈り主の携帯端末の識別情報と、ＲＦＩＤチップの識別情報（ＵＩＤ）に基づき不正行為が防止できる暗号化されたワンタイムＵＲＬ（３００）が、贈り主の携帯端末とデバイスに内蔵されたＲＦＩＤリーダライタとの通信（タッチ）によって贈り主の携帯端末が受信する。【００２６】また、暗号化されたワンタイムＵＲＬ（３００）の生成要素により前記要素を盛り込んだ商品受取番号（３０３）が生成され管理サーバへ送信される、該商品受取番号（３０３）は商品情報を内容とするモバイルサイト（３０１）内に自動挿入される。
前記モバイルサイト内の商品受取番号（３０３）は、贈り主の携帯端末で受信した暗号化されたワンタイムＵＲＬ（３００）を開くことで閲覧することができる。【００２７】この贈り主の携帯端末の識別情報およびモバイルサイト（３０１）内の受取番号は、下記に記載する商品受取人が指定期間を過ぎても受取らない、あるいは受取り拒否された場合に、贈り主の携帯端末所有者本人が再来店して贈り物の商品を、ＰＯＳ端末を通じて受取る場合に使用される。【００２８】本来は、暗号化されたワンタイムＵＲＬ（３００）を受取人の携帯端末（３０２）へ電子メールを通じて転送される、受取人である受取人の携帯端末（３０２）を利用してモバイルサイト（３０１）を通じて携帯端末（３０２）の識別情報（３０４）をアプリケーションで事前に管理者サーバへ送り記憶部で保管する。【００２９】受取人携帯端末（３０２）は、ＰＯＳ端末接続のＲＦＩＤリーダライタ内臓のデバイス（３０５）と通信して前記携帯端末（３０２）の識別情報（３０４）と、事前に送られてある管理者サーバの記憶部に保管されている識別情報（３０４）と照合して審査判断なされる。【００３０】審査判断を受けて、ＰＯＳ端末操作をおこない贈り物の商品が受取人へ渡されると０円の売上げレシートが打ち出され、また、管理サーバへ完了信号が送信される。【００３１】受信を受け取る管理サーバ（（１０６）は、制御部（１０８）において贈り物の商品情報のモバイルサイトが更新され受取完了の文字が自動挿入され受取りの完了を知らせる、また贈り物の受取人が商品受取りを済ませたにも係らず、再受取りなどを防止する手段でモバイルサイトを非表示とすることができるＰＯＳ端末の提供にある。【００３２】さらに詳しく実例としてＰＯＳ端末に関し説明すると、
（贈り物準備）
店内で商品を選択して、ＰＯＳ端末（１０１）管理者へ携帯端末（１０９）で該商品を贈りたいと管理者に伝える。
管理者はＰＯＳ端末を操作、選択された商品を贈り物にする操作をおこない入力情報が管理サーバ（１０６）へ送信され記憶部（１０７）内が商品検索、検索結果前記商品に該当する商品画像を含むモバイルサイトを検索結果として検出。
検出結果の商品情報をＰＯＳ端末接続デバイス（１０２）へ送信する手段を備える。【００３３】（商品代金決済）
ＰＯＳ端末接続デバイス（１０２）の表示部へ前記商品情報が表示される。贈り主が表示を確認し該当商品であれば管理者へ代金決済がおこなわれる。代金決済と同時にＰＯＳ端末は決済額記載のレシートが印字され該レシートを贈り主へ渡して代金決済は完了する。
前記デバイス表示部の表示方法として、液晶モニタ、ＥＬモニタ、電子ペーパー等を利用して商品情報の表示ができればよい。
また代金決済は、現金、クレジットカード、所定ポイント、所定クーポン券、所定商品券でもおこなえるものとする。【００３４】（贈り主の携帯端末操作）
ＰＯＳ端末操作で代金決済完了通知を管理サーバへ送信され、受信した管理サーバは、先ほど検索して保持されている商品情報を含むモバイルサイトのＵＲＬを、ＰＯＳ端末接続デバイス（１０２）へ送信、受信されたＵＲＬをデバイス内のＲＦＩＤリーダライタへ渡され一時保管される。
一時保管完了するとＰＯＳ端末接続デバイス（１０２）が表示部に所有の携帯端末を軽くタッチすることを促す映像および画像がながされる。
この所有携帯端末を軽くタッチすることを促すランプ、ライトおよび音声等でも良い。【００３５】（ワンタイムＵＲＬと受取商品番号生成）
所定部にあるＲＦＩＤリーダライタ（１０２−１）と所有の携帯端末（１０９）が通信をはじめ、前記所有の携帯端末（１０９）の識別情報をＲＦＩＤリーダライタ（１０２−１）へ渡し、受信したＲＦＩＤリーダライタ（１０２−１）は、
具備するＲＦＩＤチップＵＩＤ（Ｕｓｅｒ  Ｉｄｅｎｔｉｆｉｅｒ）と、前記所有の携帯端末（１０９）のＩＤｍと、ＲＦＩＤリーダライタ（１０２−１）と所有の携帯端末（１０９）の通信（交信）回数と、前記保持ＵＲＬとを基に、ワンタイムＵＲＬと受取商品番号とを生成、前記ワンタイムＵＲＬを基に暗号化処理をおこない暗号化されたワンタイムＵＲＬが生成される。
暗号化処理にＤＥＳ（Ｄａｔａ  Ｅｎｃｒｙｐｔｉｏｎ  Ｓｔａｎｄａｒｄ）等を用いておこなう。【００３６】（贈り主の携帯端末でのＵＲＬ受取り）
所定部にあるＲＦＩＤリーダライタ（１０２−１）と所有の携帯端末（１０９）との通信において、所有の携帯端末（１０９）が暗号化されたワンタイムＵＲＬを受信、ブラウザもしくはアプリケーションを利用してＵＲＬを開くと、モバイルサイト内に商品情報と受取商品番号とが閲覧できる。
モバイルサイト内の受取商品番号表示は、ＰＯＳ端末接続デバイス（１０２）内で挿入処理および管理者サーバへ生成済み受取商品番号を送信し該当モバイルサイト内へ挿入処理してもよい。【００３７】（その他のＵＲＬ受取り方法）
贈り主の携帯端末での暗号化されたワンタイムＵＲＬ受取方法は、前記デバイスに具備されたＲＦＩＤリーダライタ（１０２−１）と所有の携帯端末（１０９）との通信において以外に、赤外線、可視光通信（パルス通信）、画像化情報（２次元コードを含む画像認識用画像）、Ｂｌｕｅｔｏｏｔｈ等の近距離非接触通信のいずれかを利用する通信等であっても良いが、【００３８】この場合は管理サーバにおいて暗号化されたワンタイムＵＲＬ生成手段を用いる、該生成の根拠は、デバイス内ＲＦＩＤリーダライタ（１０２−１）のＲＦＩＤチップＵＩＤ（Ｕｓｅｒ  Ｉｄｅｎｔｉｆｉｅｒ）と、前記所有の携帯端末（１０９）の識別情報と、デバイス利用回数と、該当商品情報ＵＲＬとを基に、ワンタイムＵＲＬと受取商品番号とを生成をおこなう。
管理サーバ内で前記商品情報ＵＲＬを基にしたモバイルサイトへ受取商品番号が自動挿入れる【００３９】また、前記ワンタイムＵＲＬ暗号化生成を済ませデバイスへ送信される。
この送信信号を受信したデバイス（１０２）の赤外線、可視光通信（パルス通信）、画像化情報（２次元コードを含む画像認識用画像）、Ｂｌｕｅｔｏｏｔｈ等の近距離非接触通信のいずれかを利用する通信等を利用し贈り主の携帯端末は暗号化されたワンタイムＵＲＬを受信できる。【００４０】（受取審査）
商品の受取審査は、店内備え付けのＰＯＳ端末接続デバイスと受取人の携帯端末との通信で取得できる識別情報（３０４）が、受信したメール添付の暗号化ワンタイムＵＲＬを基に贈り物の商品掲載モバイルサイト内の受取アプリを起動して事前に送られた識別情報（３０４）を基に審査する。
審査基準として、暗号化ワンタイムＵＲＬを基にモバイルサイトを開いて所定のアプリケーションを利用して事前に送信された識別情報（３０４）か否かを照合審査する。【００４１】また、受信したメール添付の暗号化ワンタイムＵＲＬを基にモバイルサイトを開いて商品受取番号をＰＯＳ端末管理者へ伝え、ＰＯＳ端末に番号入力で管理者サーバ（１０６）の記憶装置（１０７）データベースで検索をおこなう審査手段がある。
審査手段が携帯端末の識別情報を基にする手段と、商品受取番号を基にする手段を用いることにより、贈り主は受取人の携帯端末の機能（２次元コード読み取り、赤外線通信、などの機能）を限定することなく確実に贈れる。【００４２】（審査基準）
管理者が発行した暗号化ワンタイムＵＲＬが使用されてアクセスか否かを審査基準とする。【００４３】また審査判断として、受取人が事前登録した携帯端末の識別情報と、受取りに訪れた店内でＰＯＳ端末接続デバイスと受取人の携帯端末との通信で取得した識別情報との照合で合致の否かを審査基準とする。【００４４】さらに商品受取番号を使用しての受取り判断基準は、まず受取処理されているか否かの判断と、
暗号化ワンタイムＵＲＬをＰＯＳ端末接続デバイス利用で管理サーバへ送信して、ＵＲＬ内にある商品受取番号を取出し、すでに受取り処理されているか否かを審査基準とする。
またさらに、商品情報携帯サイトを開示毎に暗号化ワンタイムＵＲＬに携帯端末のユニークキーおよびセッションキーおよび携帯端末固有識別ＩＤを付加して、該ＵＲＬを解析照合することを審査基準の一部に使用してもよい。【００４５】（その他の前記デバイス機能）
また、デバイス（１０２）と受取人の携帯端末が暗号化ワンタイムＵＲＬの通信手段として、赤外線、可視光通信（パルス通信）、画像化情報（２次元コードを含む画像認識用画像）、Ｂｌｕｅｔｏｏｔｈ等の近距離非接触通信のいずれかを利用して暗号化ワンタイムＵＲＬを通信等で直接デバイスへ送り、ＰＯＳ端末を通じて管理サーバへ送信して照合審査でも良い。【００４６】（モバイルサイト表示）
各々の審査手段により、管理者から商品受取が完了すると商品受渡し完了通知がＰＯＳ端末から管理サーバ（１０６）に送信される、該当モバイルサイト（３０１）が更新され受取り完了の文字が自動挿入され受取の完了を知らされる。
また、モバイルサイト（３０１）の非表示手段をおこなう。【００４７】（暗号化ワンタイムＵＲＬでの不正行為防止）
暗号化ワンタイムＵＲＬの生成手段が、デバイス内ＲＦＩＤリーダライタ（１０２−１）のＲＦＩＤチップＵＩＤ（Ｕｓｅｒ  Ｉｄｅｎｔｉｆｉｅｒ）と、前記所有の携帯端末（１０９）の識別情報と、デバイス利用回数と、該当商品情報ＵＲＬとを基にした生成手段で生成され、さらに暗号化処理を手段に持つことで改ざんなどの不正行為防止は最小限に止めることが可能である。【００４８】（商品受取番号での不正行為防止）
商品受取り番号による受取り審査が、デバイス内ＲＦＩＤリーダライタ（１０２−１）のＲＦＩＤチップＵＩＤ（Ｕｓｅｒ  Ｉｄｅｎｔｉｆｉｅｒ）と、前記所有の携帯端末（１０９）の識別情報と、デバイス利用回数と、該当商品情報ＵＲＬとを基にした生成手段で生成されモバイルサイトへ挿入されるので、例え管理サーバがハッキングされても改ざんされる可能性が低く再受取りなどの不正行為防止が防止できる。【００４９】しかし、受取人へのメリットとして受取人の携帯端末機能に左右させず受け取れる、また、商品受取番号をＰＯＳ端末に入力すると、贈り主所有の携帯端末（１０９）の識別情報が登録されているので、お返しの商品を贈ることが可能で、携帯端末をＰＯＳ端末接続デバイスと通信するだけで面倒な操作なしに所定店内でお返し商品が受取れるメリットがある。
【産業上の利用可能性】
【００５０】本発明の利用により、
店内で購入した小額商品（例えば、グラスビール一杯を贈る等）を、携帯端末とＰＯＳ端末接続デバイス（ＲＦＩＤリーダライタ内臓）により、携帯端末を軽くタッチして取得ＵＲＬをメールに添付して友人に簡単に贈れる。
メール受信した友人もビール一杯飲みにいくかなどの軽い気持ちで携帯端末とＰＯＳ端末接続デバイス（ＲＦＩＤリーダライタ内臓）を通じて、贈り物を受けるなど顧客の新規開拓、顧客の囲い込みに効果を発揮する。
従来は、贈る相手の住所を持参して店内で記入など、また、ネット通販で贈るにしても贈り主の事前登録など面倒なことと商品の配送費用もかさみ実現しなかった。
本発明のＰＯＳ端末を導入することにより店内で買って贈る、指定された店内で受け取るなど、顧客の来店促進となり産業上の利用価値が非常に高い。
【図面の簡単な説明】
【００５１】
【図−１】ＰＯＳ端末接続のデバイスとの相関略図である。
【図−２】ＰＯＳ端末接続のデバイスとの関係フロー図である。
【図−３】商品受取り方法を示す相関略図である。
【符号の説明】
【００５２】［図−１］
ＰＯＳ端末（１０１）は店内設置のＰＯＳ端末、デバイス（１０２）は表示部（１０３）とＲＦＩＤリーダライタ（１０２−１）であり、内部にＲＦＩＤチップ（１０４）制御部（１０５）と記憶部で構成されるデバイス（１０２）である。
管理サーバ（１０６）の構成として記憶部（１０７）と、制御部（１０８）とデータベースで構成される。贈り主携帯端末（１０９）はＲＦＩＤリーダライタ対応携帯端末でＲＦＩＤタグ（１１０）と通信部（１１２）より構成される、受取人携帯端末もＲＦＩＤリーダライタ対応携帯端末でＲＦＩＤタグ（１１４）と通信部（１１５）より構成される、
［図−２］
店内購入商品を贈り物にしたい旨を管理者に伝えるがスタート（２０１）管理者はＰＯＳ端末操作（２０２）で商品検索に入る、情報を管理サーバへ送信（２０３）、管理サーバが信号受信（２０４）、商品検検索（２０５）検索結果送信（２０６）、ＰＯＳ端末受信（２０７）、デバイス表示部で商品画像表示（２０８）、商品代金決済（２０９）ＲＦＩＤリーダライタＵＲＬ受信（２１０）、贈り主の携帯端末の識別情報取得（２１１）、ワンタイムＵＲＬ生成（２１２）、商品受取り番号生成（２１２−１）、ワンタイムＵＲＬを暗号化（２１３）、暗号化ワンタイムＵＲＬを管理サーバへ送信（２１４）、贈り主の携帯端末ＵＲＬ受信（２１５）、贈り主の携帯端末受信ＵＲＬを受取人携帯端末へ送信（２１６）、決済完了信号送信（２１７）、商品情報ＵＲＬ送信（２１８）、贈り主の携帯端末タッチ動作（２１９）、贈り物の受取人携帯端末受信（２２０）、商品受取り（２２１）、受取り完了（２２２）
［図−３］
暗号化ワンタイムＵＲＬ（３００）、贈り物商品掲載のモバイルサイト（３０１）、受取人の携帯端末（３０２）、受取商品番号（３０３）、受取人の携帯端末の識別情報（３０４）、ＰＯＳ端末のＲＦＩＤリーダライタ（３０５）、ＰＯＳ端末への番号入力（３０６）、贈り物商品受取（３０７）、贈り物商品掲載のモバイルサイト内に受取り完了表示（３０８）
【図−１】
2010262611.tif 000003
【図−２】
2010262611.tif 000004
【図−３】
2010262611.tif 000005